【手続補正書】
【提出日】平成18年3月1日(2006.3.1)
【手続補正１】
【補正対象書類名】明細書
【補正対象項目名】発明の名称
【補正方法】変更
【補正の内容】
【発明の名称】電源回路、スイッチング制御方法、ＤＣ−ＤＣコンバータ及びシステム装置
【手続補正２】
【補正対象書類名】明細書
【補正対象項目名】特許請求の範囲
【補正方法】変更
【補正の内容】
【特許請求の範囲】
【請求項１】  電源電圧を所定の電圧へ出力するスイッチング回路部を有する電源回路において、
前記スイッチング回路部は、所定の信号が入力されると前記電源電圧をスルーして同じ前記所定の電圧として出力することを特徴とする電源回路。
【請求項２】  電源電圧を所定の電圧へ出力するＤＣ−ＤＣコンバータを有する電源回路において、
前記ＤＣ−ＤＣコンバータは、電源電圧をスイッチングして出力するスイッチング回路部と、
該スイッチング回路部から出力される脈流電圧を平滑して前記ボルテージレギュレータに出力する平滑回路部と、
該平滑回路部から出力された電圧を検出し、該検出した電圧に応じて、平滑回路部からの出力電圧が所定の電圧になるように前記スイッチング回路部におけるスイッチング動作の制御を行う制御部と、
を備え、
前記制御部は、所定の信号が入力されると非活性化状態となり、前記スイッチング回路部に対して、スイッチング動作を停止させ電源電圧を常時前記平滑回路部に出力させることを特徴とする電源回路。 
【請求項３】  電源電圧を所定の電圧へスイッチングして出力するスイッチング制御方法において、
所定の信号が入力されると、スイッチング動作を停止させ、該電源電圧をスルーして出力することを特徴とするスイッチング制御方法。
【請求項４】  所定のスリープ信号入力手段と、
ＭＯＳトランジスタと、
該ＭＯＳトランジスタをスイッチング制御する制御回路と、
を備え、
電源供給先のシステム装置が動作時と非動作時とで前記スリープ信号入力手段の入力レベルを変化させ、前記スリープ信号の入力レベルに応じて、前記制御回路の出力を変化させて入力電圧を降圧出力する状態と、前記ＭＯＳトランジスタを常時ＯＮ状態にして前記入力電圧と同じ電圧を出力する状態とを有することを特徴とするＤＣ−ＤＣコンバータ。
【請求項５】  ＤＣ−ＤＣコンバータを有する電源回路から電源供給が行われるシステム装置において、
前記ＤＣ−ＤＣコンバータは、
所定のスリープ信号入力手段と、
ＭＯＳトランジスタと、
該ＭＯＳトランジスタをスイッチング制御する制御回路と、
を備え、
前記電源供給先のシステム装置が動作時と非動作時とで前記スリープ信号入力手段の入力レベルを変化させ、前記スリープ信号の入力レベルに応じて、前記制御回路の出力を変化させて入力電圧を降圧出力する状態と、前記ＭＯＳトランジスタをＯＮ状態にして前記入力電圧と同じ電圧を出力する状態とを有することを特徴とするシステム装置。
【手続補正３】
【補正対象書類名】明細書
【補正対象項目名】０００９
【補正方法】変更
【補正の内容】
【０００９】
【課題を解決するための手段】
この発明に係る電源回路は、電源電圧を所定の電圧へ出力するスイッチング回路部を有する電源回路において、
前記スイッチング回路部は、所定の信号が入力されると前記電源電圧をスルーして同じ前記所定の電圧として出力するものである。
【手続補正４】
【補正対象書類名】明細書
【補正対象項目名】００１０
【補正方法】変更
【補正の内容】
【００１０】
また、この発明に係る電源回路は、電源電圧を所定の電圧へ出力するＤＣ−ＤＣコンバータを有する電源回路において、
前記ＤＣ−ＤＣコンバータは、電源電圧をスイッチングして出力するスイッチング回路部と、
該スイッチング回路部から出力される脈流電圧を平滑して前記ボルテージレギュレータに出力する平滑回路部と、
該平滑回路部から出力された電圧を検出し、該検出した電圧に応じて、平滑回路部からの出力電圧が所定の電圧になるように前記スイッチング回路部におけるスイッチング動作の制御を行う制御部と、
を備え、
前記制御部は、所定の信号が入力されると非活性化状態となり、前記スイッチング回路部に対して、スイッチング動作を停止させ電源電圧を常時前記平滑回路部に出力させるものである。
【手続補正５】
【補正対象書類名】明細書
【補正対象項目名】００１１
【補正方法】変更
【補正の内容】
【００１１】
また、この発明に係るスイッチング制御方法は、電源電圧を所定の電圧へスイッチングして出力するスイッチング制御方法において、
所定の信号が入力されると、スイッチング動作を停止させ、該電源電圧をスルーして出力するようにした。
【手続補正６】
【補正対象書類名】明細書
【補正対象項目名】００１２
【補正方法】変更
【補正の内容】
【００１２】
また、この発明に係るＤＣ−ＤＣコンバータは、所定のスリープ信号入力手段と、
ＭＯＳトランジスタと、
該ＭＯＳトランジスタをスイッチング制御する制御回路と、
を備え、
電源供給先のシステム装置が動作時と非動作時とで前記スリープ信号入力手段の入力レベルを変化させ、前記スリープ信号の入力レベルに応じて、前記制御回路の出力を変化させて入力電圧を降圧出力する状態と、前記ＭＯＳトランジスタを常時ＯＮ状態にして前記入力電圧と同じ電圧を出力する状態とを有するものである。
【手続補正７】
【補正対象書類名】明細書
【補正対象項目名】００１３
【補正方法】変更
【補正の内容】
【００１３】
また、この発明に係るシステム装置は、ＤＣ−ＤＣコンバータを有する電源回路から電源供給が行われるシステム装置において、
前記ＤＣ−ＤＣコンバータは、
所定のスリープ信号入力手段と、
ＭＯＳトランジスタと、
該ＭＯＳトランジスタをスイッチング制御する制御回路と、
を備え、
前記電源供給先のシステム装置が動作時と非動作時とで前記スリープ信号入力手段の入力レベルを変化させ、前記スリープ信号の入力レベルに応じて、前記制御回路の出力を変化させて入力電圧を降圧出力する状態と、前記ＭＯＳトランジスタをＯＮ状態にして前記入力電圧と同じ電圧を出力する状態とを有するものである。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００７１
【補正方法】変更
【補正の内容】
【００７１】
【発明の効果】
上記の説明から明らかなように、本発明によれば、ＤＣ−ＤＣコンバータで電源電圧を所定の電圧Ｖａに降圧した後、更にボルテージレギュレータによって所定の電圧Ｖｂに降圧してシステム装置に電源供給するようにした。このことから、ボルテージレギュレータによる消費電力を低減させることができるため、低消費電力化を図ることができ、各種電池（２次電池も含む）を電源とした機器において、電池の消耗を抑制することができる。